(57)【要約】  チューナの効率的な実現のためのシステム及び方法の実施例が、ここに開示される。他の実施例も記載され、特許請求の範囲に記載され得る。
2012531100.tif 000002
【特許請求の範囲】
【請求項１】
共通のソースから複数の独立した整流周波数を生成する方法であって、
チャネル要求を受信するステップと、
前記チャネル要求に少なくとも部分的に基づいて、第１の整流周波数及び第２の整流周波数を判定するステップと、
前記共通のソースの同調可能な範囲を判定するステップと、
第１の変換段の第１のプレスケール範囲及び前記共通のソースの前記同調可能な範囲に少なくとも部分的に基づいて、第１の変換比を判定するステップと、
前記第１の整流周波数及び前記第１の変換比に基づいて、前記共通のソースの周波数出力を判定するステップと、
前記共通のソースの前記周波数出力及び前記第２の整流周波数に基づいて、第２の変換比を判定するステップと
を有する方法。
【請求項２】
第１のミキサと第２のミキサとの間に位置するチャネルフィルタを用いて、前記第１の整流周波数及び第１のミキサへの入力周波数の合成成分をフィルタリングするステップを更に含む、請求項１に記載の方法。
【請求項３】
前記チャネル要求は、テレビ信号から導出される、請求項１に記載の方法。
【請求項４】
前記共通のソースの前記周波数出力は、局部発振器により生成される、請求項１に記載の方法。
【請求項５】
固定の除算器の固定の変換比、前記共通のソースの前記周波数出力及び前記第２の整流周波数に基づいて、前記第２の変換比を判定するステップを更に含む、請求項１に記載の方法。
【請求項６】
第１のポストスケール段及び第２のポストスケール段により、前記共通のソースの前記周波数出力の同相成分及び直交成分をスケーリングするステップを更に含む、請求項１に記載の方法。
【請求項７】
ルーフィングフィルタを用いて、前記第１の整流周波数及び第１のミキサへの入力周波数の合成成分をフィルタリングするステップを更に含む、請求項１に記載の方法。
【請求項８】
複数の変換段を使用して複数の整流周波数を提供するために可変周波数発振器を使用する方法であって、
前記複数の整流周波数に基づいて調波周波数信号を生成するステップと、
第１のプレスケール比及び第２のプレスケール比を判定するステップと、
前記第１のプレスケール比での前記調波周波数信号と入力無線周波数（RF）信号とを結合し、同相（I）信号及び直交（Q）信号を生成するステップと、
前記I信号及び前記Q信号をフィルタリングするステップと、
前記第２のプレスケール比での前記調波周波数信号と前記I信号及び前記Q信号とを結合し、中間周波数（IF）信号を生成するステップと
を有する方法。
【請求項９】
前記複数の整流周波数は、第１の整流周波数及び第２の整流周波数である、請求項８に記載の方法。
【請求項１０】
他の周波数又は周波数帯域をブロックしつつ、１つ以上の所望の周波数又は周波数帯域を通過させるチャネルフィルタを用いて、前記第１の整流周波数及び第１のミキサへの入力周波数の合成成分をフィルタリングするステップを更に含む、請求項９に記載の方法。
【請求項１１】
前記RF信号はテレビ信号である、請求項８に記載の方法。
【請求項１２】
固定の変換比、前記可変周波数発振器の周波数出力及び前記第２の整流周波数に基づいて、前記第２の変換比を判定するステップを更に含む、請求項９に記載の方法。
【請求項１３】
第１のポストスケール段及び第２のポストスケール段により、前記可変周波数発振器の前記I信号及び前記Q信号をスケーリングするステップを更に有する、請求項８に記載の方法。
【請求項１４】
前記第１の整流周波数の通過帯域を低減するために、ルーフィングフィルタを用いて前記第１の整流周波数をフィルタリングするステップを更に含む、請求項９に記載の方法。
【請求項１５】
複数の周波数変換段及び共通のソースを使用して可変中間周波数（IF）出力を提供するチューナであって、
整流周波数の倍数で動作し、発振器出力を提供するように構成された発振器と、
ゼロIFを提供する第１の変換段と、
前記ゼロIFからの直交アップコンバージョンを提供する第２の変換段であり、前記発振器出力に基づいて前記整流周波数を提供するアップコンバージョン変換器を有する第２の変換段と、
前記可変中間周波数をダウンコンバートするように構成された復調器と
を有するチューナ。
【請求項１６】
前記チューナは、３つ以上の周波数変換段を有する、請求項１５に記載のチューナ。
【請求項１７】
前記チューナは、モノリシック集積回路である、請求項１５に記載のチューナ。
【請求項１８】
前記発振器と前記第２の変換段との間にプレスケール構成要素を更に含む、請求項１５に記載のチューナ。
【請求項１９】
WiFi信号を受信するように構成されたトランシーバを更に含む、請求項１５に記載のチューナ。
【請求項２０】
前記第２の変換段に第１のポストスケール構成要素及び第２のポストスケール構成要素を更に含む、請求項１５に記載のチューナ。
【発明の詳細な説明】
【技術分野】
【０００１】
本発明は、概して有線及び無線通信の分野に関し、特に完全に統合されたチューナを実現する方法及び関連するシステムに関する。
【背景技術】
【０００２】
消費者及び企業用の電子デバイスは、ますます様々な機能を含んでいる。コンピュータシステム、局、クライアントデバイス、モバイルインターネットデバイス、テレビ受信機、衛星受信機及びセットトップボックスのような様々な電子システムで提供される機能の中で、無線周波数信号を使用した１つ以上のチャネルでのテレビ信号又は同様のマルチメディアストリームの受信及び配信がある。
【０００３】
受信した無線周波数信号は、信号が下流の構成要素に渡される前に、典型的にはチューナにより変換又は変形される。典型的には、変換処理は、ゼロ中間信号及び／又は中間周波数信号又は整流周波数を形成するために受信信号と合成される信号周波数又は整流周波数（commutating  frequency）を提供するための局部発振器の使用を含む。或るアーキテクチャでは、受信信号から出力への変換は、２つの周波数変換段階を含むことがある。このようなアーキテクチャでは、１つ以上のチューナにおける２つ以上の局部発振器（LO：local  oscillator）／位相ロックループ（PLL：phase  lock  loop）を必要とする２つ以上の整流周波数の生成は、典型的には更なるコスト、空間を生じ、劣化したチャネル品質を生じるLO相互作用をもたらす可能性がある。
【図面の簡単な説明】
【０００４】
【図１】本発明の或る実施例による電子システムのブロック図
【図２】本発明の或る実施例による単一のLOからの複数の整流周波数を有するチューナのブロック図
【図３】本発明の或る実施例による単一のLOからの複数の整流周波数を有するチューナの他のブロック図
【図４】本発明の或る実施例による単一のLOからの複数の整流周波数を有するチューナの他のブロック図
【図５】チューナの効率的な実現のための方法の実施例を記載したフローチャート
【図６】チューナの効率的な実現のための方法の実施例を記載した他のフローチャート
【発明を実施するための形態】
【０００５】
本発明として考えられる対象は、明細書の最後の部分に特に示されており、明確に特許請求の範囲に記載されている。しかし、構成及び動作方法の双方としての本発明は、本発明の目的、特徴及び利点と共に、添付図面と共に読まれたときに以下の詳細な説明を参照することにより最も良く理解できる。
【０００６】
説明を簡潔且つ明瞭にするため、図面に示す要素は必ずしも縮尺通りに記載されているとは限らないことが分かる。例えば、明瞭にするため、或る要素の寸法は、他の要素に比較して誇張されることがある。更に、適切と考えられる場合には、対応する要素又は同一の要素を示すために、参照符号が図面の間で繰り返されることがある。
【０００７】
以下の詳細な説明では、本発明の完全な理解を提供するために、チューナの効率的な実現のための複数の特定の詳細が示されている。しかし、本発明は、これらの特定の詳細なしに実施されてもよいことが当業者により分かる。他の場合にも、本発明をあいまいにしないように、周知の方法、手順、構成要素及び回路は詳細に記載されない。
【０００８】
性能に悪影響を与え得るシステム間相互作用を回避しつつ、共通のソースから複数の整流周波数を送出するように構成されたチューナの効率的な実現のための装置及び方法を提供することが、当該技術分野における進歩になる。２つ以上の整流周波数を送出可能な単一のチューナを有する電子デバイスの性能は、整流周波数が同じ周波数又は調波関係（調和関係）にある周波数に近く又はその周波数に等しく同調する場合に劣化し得る。その結果、サービスの低下を生じる。典型的には、このような場合に、局部発振器が相互に近くに配置された場合、チューナに関連する複数の局部発振器又は位相ロックループは、注入ロック（injection  lock）又は“プル（pull）”する可能性がある。
【０００９】
同じチューナに１つより多くのソース（例えば、局部発振器）を必要とする電子システムは、各局部発振器が電磁結合の分離の適用を通じて独立に分離されるように構成されてもよい。更に、他の対策では、共通のアース又はサプライループのような他の結合ソースを最小化するために設計技術が適用されてもよい。このような技術を組み込んだ複数のチューナの適用は、更なる空間及び費用を必要とし、特に低コスト用途又は小型に設計されたモバイルデバイスでは、負荷になる。複数の整流周波数を必要とする用途での複数の局部発振器の使用を回避するためのシステム及び方法を使用することが有利である。複数の整流周波数を必要とする用途での単一の局部発振器の使用は、チューナの構成要素の全部又は一部がモノリシック集積回路に存在する場合又は共通基板に配置された場合には、特に有用になる。
【００１０】
本発明の或る実施例は、様々なデバイス及びシステム（例えば、局、クライアント、パーソナルコンピュータ（PC）、セットトップボックス、テレビデバイス、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、パーソナルデジタルアシスタント（PDA）デバイス、ハンドヘルドPDAデバイス、回路基板上のデバイス、回路基板外のデバイス、ハイブリッド型デバイス、車両用デバイス、非車両用デバイス、モバイル又はポータブルデバイス、非モバイル又は非ポータブルデバイス、無線通信局、無線通信デバイス、無線アクセスポイント（AP）、有線又は無線ルータ、有線又は無線モデム、有線又は無線ネットワーク、ローカルエリアネットワーク（LAN）、無線LAN（WLAN）、メトロポリタンエリアネットワーク（MAN）、無線MAN（WMAN）、広域ネットワーク（WAN）、無線WAN（WWAN）、パーソナルエリアネットワーク（PAN）、無線PAN（WPAN）、既存のIEEE802.11、802.11a、802.11b、802.11g、802.11n、802.16、802.16d、802.16e標準及び／又は将来のバージョン及び／又は派生物及び／又は前述の標準LTE（Long  Term  Evolution）に従って動作するデバイス及び／又はネットワーク、前述のネットワークの一部であるユニット及び／又はデバイス、一方向及び／又は双方向無線通信システム、セルラ無線電話通信システム、セルラ電話、無線電話、パーソナル通信システム（PCS）デバイス、無線通信デバイスを組み込んだPDAデバイス、モバイル又はパーソナル全地球測位システム（GPS）デバイス、GPS受信機若しくはトランシーバ又はチップを組み込んだデバイス、RFID要素又はチップを組み込んだデバイス、MIMO（Multiple  Input  Multiple  Output）トランシーバ又はデバイス、SIMO（Single  Input  Multiple  Output）トランシーバ又はデバイス、MISO（Multiple  Input  Single  Output）トランシーバ又はデバイス、１つ以上の内部アンテナ及び／又は外部アンテナを有するデバイス、デジタルビデオ放送（DVB）デバイス又はシステム、マルチ標準無線デバイス又はシステム、有線又は無線ハンドヘルドデバイス（例えば、BlackBerry、Palm  Treo）、無線アプリケーションプロトコル（WAP）デバイス等）と共に使用されてもよい。
【００１１】
本発明の或る実施例は、１つ以上の種類の無線通信信号及び／又はシステム（例えば、無線周波数（RF）、赤外線（IR）、周波数分割多重（FDM）、直交FDM（OFDM）、時分割多重（TDM）、時分割多重アクセス（TDMA）、拡張TDMA（E-TDMA）、GPRS（General  Packet  Radio  Service）、拡張GPRS、符号分割多重アクセス（CDMA）、広帯域CDMA（WCDMA）、CDMA2000、マルチキャリア変調（MDM）、離散マルチトーン（DMT）、Bluetooth（登録商標）（RTM）、全地球測位システム（GPS）、Wi-Fi、Wi-Max、ZigBee（TM）、超広帯域（UWB）、GSM（登録商標）（Global  System  for  Mobile  communication）、2G、2.5G、3G、3.5G等）と共に使用されてもよい。本発明の実施例は、様々な他のデバイス、システム及び／又はネットワークで使用されてもよい。
【００１２】
ここで使用される“干渉”又は“雑音”という用語は、例えば、ランダムな外乱又はランダムではない外乱、パターン化された外乱又はパターン化されていない外乱、不要な信号特性、シンボル間干渉（ISI）、電気的雑音、電気的干渉、白色雑音、非白色雑音、信号の歪み、ショット雑音、熱雑音、フリッカー雑音、“ピンク”雑音、バースト雑音、なだれ雑音、信号を受信しようとするデバイスに内部の構成要素により生成された雑音又は干渉、信号を受信しようとするデバイスと同一場所に位置する構成要素により生成された雑音又は干渉、信号を受信しようとするデバイスに外部の構成要素又はユニットにより生成された雑音又は干渉、ランダム雑音又は疑似乱数雑音、非ランダム雑音、パターン化された干渉又はパターン化されていない干渉等を含む。
【００１３】
ここで使用される（例えば、干渉又は雑音の）“軽減（mitigation）”という用語は、例えば、低減、減少、低下、除去、削除及び／又は回避を含む。
【００１４】
ここで使用される“テレビ信号”又は“デジタルテレビ信号”という用語は、例えば、テレビ情報を伝達する信号、オーディオ／ビデオ情報を伝達する信号、デジタルテレビ（DTV）信号、デジタル放送信号、デジタル地上波テレビ（DTTV）信号、１つ以上のATSC（Advanced  Television  Systems  Committee）標準に従った信号、VSB（Vestigial  SideBand）デジタルテレビ信号（例えば、8-VSB信号）、符号化OFDM（COFDM）テレビ信号、DVB-T（Digital  Video  Broadcasting-Terrestrial）信号、DVB-T2信号、ISDB（Integrated  Services  Digital  Broadcasting）信号、MPEG-2オーディオ／ビデオを伝達するデジタルテレビ信号、MPEG-4オーディオ／ビデオ又はH.246オーディオ／ビデオ又はMPEG-4  part  10オーディオ／ビデオ又はMPEG-4  AVC（Advanced  Video  Coding）を伝達するデジタルテレビ信号、DMB（Digital  Multimedia  Broadcasting）信号、DMB-H（DMB-Handheld）信号、HDTV（High  Definition  Television）信号、プログレッシブスキャン・デジタルテレビ信号（例えば、720p）、インターレース・デジタルテレビ信号（例えば、1080i）、衛星又はパラボラアンテナを通じて伝送又は受信されたテレビ信号、大気又はケーブルを通じて伝送又は受信されたテレビ信号、デジタルテレビデータに加えて又はデジタルテレビデータの代わりに非テレビデータ（例えば、無線及び／又はデータサービス）を（全体的に又は部分的に）含む信号等を含む。
【００１５】
ビデオに使用され得るテレビ信号の中で、最近の中国デジタルテレビ標準がある。この標準は、SAC（Standardization  Administration  of  China）の指定番号GB20600-2006であり、2006年8月18日に発行された“Framing  Structure,  Channel  Coding  and  Modulation  for  Digital  Television  Terrestrial  Broadcasting  System”という題である。この標準はまた、DMB-T（Digital  Multimedia  Broadcasting-Terrestrial）又はDMB-T/H（Digital  Multimedia  Broadcasting  Terrestrial/Handheld）とも呼ばれることがある。この標準は、ここでは概して“DMB-T”と呼ばれる。
【００１６】
図面を参照すると、図１は、本発明の或る実施例に従って他の無線通信システムとの通信を可能にするように、共通プラットフォームに複数の無線機を組み込んだ電子システム100を示している。このプラットフォームは、本発明の或る実施例に従って複数の整流周波数を提供するように構成された単一の局部発振器（LO：local  oscillator）又は位相ロックループ（PLL：phase  lock  loop）を有するチューナ120を含む。本発明の他の実施例（図示せず）では、電子システム100は、単一の局部発振器（LO）又は位相ロックループ（PLL）を有するチューナ120から複数の整流周波数を提供するように構成された有線ケーブルテレビ受信システム、衛星又はセットトップボックスである。
【００１７】
電子システム100は、例えば、DTV（Digital  television）、デジタル放送、DTTV（Digital  Terrestrial  Television）、１つ以上のATSC（Advanced  Television  Systems  Committee）標準に従った信号、VSB（Vestigial  SideBand）デジタルテレビ（例えば、8-VSB信号）、ETSI標準EN  302  304で採用されるように放送サービスをハンドヘルド受信機にもたらすDVB-H（Digital  Video  Broadcasting-Handheld）、DMB（Digital  Multimedia  Broadcasting）、DVB-T（Digital  Video  Broadcasting-Terrestrial）、日本のISDB-T（Integrated  Services  Digital  Broadcasting-Terrestrial）、又はIEEE802.11n仕様に基づいて無線ローカルエリアネットワーク（WLAN）の基礎技術を提供するWi-Fi（Wireless  Fidelity）のような複数のシステムで動作してもよい。しかし、本発明はこれらのネットワークのみでの動作に限定されない。従って、電子システム100と同一場所にある無線サブシステムは、１つ以上のネットワークの他のデバイスとRF／位置空間で通信する機能を提供する。
【００１８】
単純化した実施例は、WWAN、WiFi等のようなホスト送信を受信し得る１つ以上のアンテナ105を備えたRFトランシーバ110を示している。１つ以上のアンテナ105は、変調／復調に対応するためにトランシーバ115に結合されている。アンテナ105はまた、チューナ120がデジタルテレビ（DTV）放送技術を通じたTV画像及び音声を作るために使用される“データビット”を受信するための送信を受信する。或いは、アンテナ105は、信号をチューナ120に送出するための有線入力でもよい（図示せず）。
【００１９】
一実施例では、チューナ120は、選択されたチャネルを所定の中間周波数（IF：intermediate  frequency）出力に変換する。IF出力は、チューナの内部又は外部で（RFトランシーバ110等で）更に増幅及びフィルタリングされてもよい。各アンテナ105は、１つ以上の指向性又は無指向性アンテナ（例えば、ダイポールアンテナ、モノポールアンテナ、パッチアンテナ、ループアンテナ、マイクロストリップアンテナ、又はRF信号の送信に適した他の種類のアンテナを含む）を有してもよい。或る実施例では、２つ以上のアンテナの代わりに、複数の開口を備えた単一のアンテナが使用されてもよい。これらの実施例では、各開口は、別々のアンテナとして考えられてもよい。或るMIMO（multiple-input  multiple-output）の実施例では、RFトランシーバ110は、各アンテナ105とトランスポートストリームを送信する１つ以上のホスト送信源との間の分離を生じ得る空間ダイバーシチ及び異なるチャネル特性を利用するように効果的に分離され得る２つ以上のアンテナ105を使用してもよい。
【００２０】
受信したMPEG-2トランスポートストリーム及び受信データの異なる技術的制約に適合して、復調された信号をプロセッサ140に提供するために、復調方式が選択されてもよい。一例として、受信機は、パイロット信号を備えたOFDMブロックを含んでもよく、デジタル復調方式は、他の方式もあるが、QPSK、DQPSK、16QAM及び64QAMを使用してもよい。トランシーバ115及びチューナ120は、混合モード（mixed-mode）の集積回路としてプロセッサ140と共に埋め込まれてもよく、この場合、ベースバンド及びアプリケーション処理機能は、埋め込み第１コア130及び埋め込み第２コア135により扱われてもよい。
【００２１】
プロセッサ140は、メモリインタフェース145を通じて、記憶用の１つ以上の揮発性及び／又は不揮発性メモリを有するシステムメモリ150のメモリ記憶装置にデータを伝送してもよい。例えば、不揮発性メモリは、読み取り専用メモリ（ROM）、プログラム可能ROM（PROM）、消去可能PROM（EPROM）、電気的EPROM（EEPROM）、ディスクドライブ若しくはソリッドステートドライブ（例えば、228）、フロッピー（登録商標）ディスク、コンパクトディスクROM（CD-ROM）、デジタル多目的ディスク（DVD）、フラッシュメモリ、光磁気ディスク、又は命令を含む電子データを格納可能な他の種類の不揮発性機械可読媒体のうち１つ以上を含んでもよい。この実施例に示すプロセッサ140は、２つのコアプロセッサ又は中央処理装置を提供する。プロセッサ140は、汎用プロセッサ、ネットワークプロセッサ（コンピュータネットワークで通信されたデータを処理し得る）等のような如何なる種類のプロセッサでもよい（縮小命令セットコンピュータ（RISC）プロセッサ、特定用途向け集積回路（ASIC）、又は複雑命令セットコンピュータ（CISC）を含む）。代替実施例では、プロセッサ140は、単一コア又はクアッドコアの設計を有してもよい。複数コアの設計を備えたプロセッサ140は、同じ集積回路（IC）ダイの上に異なる種類のプロセッサコアを統合してもよい。また、複数コアの設計を備えたプロセッサ140は、対称型又は非対称型マルチプロセッサとして実現されてもよい。
【００２２】
図２は、本発明の或る実施例に従って共通のソース又は発振器（局部発振器又は可変周波数発振器等）から可変中間周波数を提供するように構成された図１のチューナ120の一部のブロック図である。入力において制御された入力インピーダンスを提供する低雑音増幅器（LNA：low  noise  amplifier）210は、RF入力205からの広帯域信号を増幅するために提供される。RF入力205からの広帯域信号は、ここに開示されたケーブル、地上波及び無線テレビ信号のうち１つ以上を含んでもよい。この実施例では、増幅された信号は、第１のミキサ215又はI/Qミキサに渡される。第１のミキサ215は、LNA210からの入力又はRF信号を受信し、第１の変換段250からの周波数信号と結合（合成）し、ゼロ中間周波数（ZIF：zero  intermediate  frequency）信号を提供する。他の実施例では、第１のミキサ215は、LNA210からの入力信号と第１の変換段250からの周波数信号とを結合し、中間周波数信号（IF：intermediate  frequency）を提供する。
【００２３】
第１の変換段250は、第１の変換比で局部発振器245からの周波数信号をスケーリングし、第１のミキサ215に提供される局部発振器245からの周波数信号を調整する。他の実施例では、局部発振器245の代わりの共通ソースとして、可変周波数発振器が使用される。同相（I）成分及び直交（Q）成分を含む第１のミキサ215からのZIF又はIF信号は、他のものをブロックしつつ、１つ以上の所望の周波数又は周波数帯域を通過させるように構成されたチャネルフィルタ220を使用してフィルタリングされる。チャネルフィルタ220は、この実施例では第１の変換段250の出力である第１の整流周波数と、第１のミキサ215の出力周波数との混合成分をフィルタリングする。この実施例でのチャネルフィルタ220は、第１のミキサ215と第２のミキサ225との間に位置する。
【００２４】
第２のミキサ225は、局部発振器245からの周波数信号と、第２の変換段260からの第２の整流周波数のI成分265及びQ成分270とを用いて、チャネルフィルタ220からのフィルタリングされたZIF又はIF信号を受信してアップコンバートするように提供される。第２の変換段260は、第２の変換比で局部発振器245（第１の変換段250及び第２の変換段260への共通のソース）からの周波数信号をスケーリングし、第２のミキサ225に提供される局部発振器245からの周波数信号を調整する。代替実施例では、図１のチューナ120は、ZIF又はIF信号をI及びQ成分に分離せずに、２つ以上の変換段（第１の変換250及び第２の変換260等）を有する共通のソースからの可変中間周波数を使用してIF出力240を提供するように構成される。
【００２５】
第２のミキサ225は、第１のミキサ215からのZIF又はIF信号をアップコンバートし、チャネルフィルタ220により制限された信号帯域の全体を、第１のミキサ215からのIF又はZIF信号の信号帯域より高い中間周波数（IF）に変換する。第２のミキサ225から出力された中間周波数信号は、復調器（図示せず）のような下流の構成要素又はシステムに与えられるIF出力240の信号の範囲を低減するために、VGA230の利得を制御するIF自動利得制御信号（AGC：automatic  gain  control）235を受信する可変利得増幅器（VGA：variable  gain  amplifier）230により増幅される。復調器は、周波数タイミング補償を提供するように構成されてもよい。VGA230からの利得は、IF出力240の下流の信号レベル測定又は下流の復調器の性能に基づいて、IF  AGC信号235により外部で制御される。代替実施例（図示せず）では、第１のミキサ215はIF信号を出力し、第２のミキサ225はZIF信号を出力する。
【００２６】
第１の変換段250及び第２の変換段260の双方は、コントローラ225を使用してスケーリング比で同調又はスケーリングされてもよい。２つの周波数変換段（第１の変換段250及び第２の変換段260）が図２に例示及び記載されているが、実施例はこの点に限定されない。３つ以上の周波数変換段を含む複数の周波数変換段が、コントローラ225を使用してスケーリング比で同調又はスケーリングされてもよい。コントローラ225は、図１のプロセッサ140でもよく、汎用プロセッサ、ネットワークプロセッサ（コンピュータネットワークで通信されたデータを処理し得る）の形式の別のコントローラでもよい（縮小命令セットコンピュータ（RISC）プロセッサ、特定用途向け集積回路（ASIC）、又は複雑命令セットコンピュータ（CISC）を含む）。
【００２７】
一例として、LO245は、3〜6ギガヘルツ（GHz）の範囲で同調可能でもよく、第１のミキサ215からの第１の整流周波数（ダウンコンバージョン）は50〜1,000メガヘルツ（MHz）の間で送出されてもよく、第２のミキサ225からの第２の整流周波数（アップコンバージョン）は、約12MHzでもよい。チャネル要求又は要件に対応するために、第１の変換段250及び第１のミキサ215を有する第１の変換段は、所望のチャネルをZIF信号に同調させるように構成される。所望のチャネルが501MHzである場合、第１の変換250は、6に設定され、LO245が3006MHzに同調してもよい。第２の変換段260及び第２のミキサ225を有する第２の変換段は、12MHzのIF出力を提供するアップコンバージョンを行うように構成される。要求に対応するために、LO245が3006MHzに同調することを前提として、第２の変換段は、251に設定され、IF出力240を11.98MHz又は約12MHzで送出する。
【００２８】
別法として、第１の変換250は、8に設定され、LO245が4008MHzに同調し、501MHzで所望のチャネルを提供してもよい。その結果、12MHzでのIF出力を提供するために、第２の変換260が334に設定され、LO245からの4008MHzの信号を12MHzに下げることになる。他の例として、501MHzでの所望のチャネルを提供するために、LO245を5010MHzに同調させつつ、第１の変換250が10に設定されてもよい。その結果、12MHzでのIF出力を提供するために、第２の変換260が418に設定され、LO245からの5010MHzを約12MHzに下げることになる。それぞれの例において、LO245は、LO245の周波数の部分調波周波数（部分調和周波数）（subharmonic  frequency）を提供するために、倍率（スケーリングファクタ）を使用して第１の変換段250及び第２の変換段260によりスケーリングされる。第１の変換段又は第２の変換段での所望の信号周波数の間の残りの同調誤差は、VGA230の下流の復調器（図示せず）でのデジタルダウンコンバージョンにより除去される。
【００２９】
図２に従った更なる実施例は、第２の変換段で固定の出力除算比（division  ratio）を追加することである。例えば、固定の出力除算比は、第２の変換段260の一部として4に設定されてもよい。所望のチャネルが501MHzである場合、第１の変換250は6に設定され、LO245は3006MHzに同調する。この状況で、第２の変換段のアップコンバージョンは、約12MHzに設定される必要がある。固定の出力除算比が4に設定される場合、第２の変換は、4である固定の出力除算比と63との積を設定し、3006MHzのLO245の信号周波数を252によって下げ、11.93MHz又は約12MHzでのIF出力240を提供してもよい。第２の変換段260は、同様の機能を提供する、固定の変換比を有する固定の除算器（LO245と第２の変換段260との間の図３に示すようなプレスケール320等）により先行されてもよい。
【００３０】
図３は、本発明の或る実施例に従って単一のLOから可変中間周波数を生成するように構成されたチューナ120の一部の他のブロック図である。図２を参照して前述したように、低雑音増幅器（LNA：low  noise  amplifier）210は、RF入力205からの広帯域信号を増幅する。入力信号は、ここに開示されたケーブル、地上波及び無線テレビ信号のうち１つ以上を含んでもよい。LNA210からの増幅された信号は、第１のミキサ215に渡される。第１のミキサ215は、LNA210からの増幅されたRF信号を受信し、局部発振器245及び第１の変換段250からの周波数信号と結合し、ゼロ中間周波数（ZIF：zero  intermediate  frequency）信号を提供する。この実施例では、第１のミキサ215とフィルタ間LNA310との間にルーフィングフィルタ（roofing  filter）305が位置しており、ルーフィングフィルタ305は、フィルタ間LNA310及び第２のミキサ225による過負荷及び／又は歪みが低減されるように、ZIFの通過帯域を低減するように構成される。同相（I）成分及び直交（Q）成分を含む第１のミキサ215からのZIF信号は、他のものをブロックしつつ、１つ以上の所望の周波数又は周波数帯域を通過させるように構成されたチャネルフィルタ315を使用してフィルタリングされる。
【００３１】
第２の変換260の動作周波数を低減し、関係する電力消費を低減するために、プレスケール320構成要素として示される固定の除算器が図３に提供される。また、同相成分I265及び直角位相成分270を提供するために、第１のポストスケール325構成要素及び第２のポストスケール330構成要素が提供される。所望のチャネルが501MHzであり、第１の変換250が6に設定され、LO245が3006MHzに同調する前述の例を基礎とすると、第２の段でのアップコンバージョンは約12MHzになる必要がある。更に、プレスケール320の比が4に設定され、第１のポストスケール325の比が6であり、第２のポストスケール330の比が6である場合、12.53MHz又は約12MHzでIF出力240を提供するために、第２の変換260の比は、10に設定されるべきである。
【００３２】
第１の変換段250、第２の変換段260、プレスケール320構成要素、第１のポストスケール325構成要素及び第２のポストスケール330構成要素は、設計上の検討事項に依存して整数値の範囲内で設定されてもよく、コントローラ255により制御されてもよく、及び／又は構成要素のハードウェア設計に依存してもよい。各実施例で、単一のLO245と第１の変換段と第２の変換段と第２の変換段の比とを使用して提供されるIF出力240は、所定の周波数ウィンドウ内のIF出力240を送出するように導出されてもよい。所望のIF出力周波数とIF出力240との間の差は、周波数タイイング補償を使用して、下流の復調器（図示せず）でのダウンコンバージョン処理で除去されてもよい。第２の変換260の出力は、下流の復調器について図４に示すように、アナログ・デジタル変換（ADC：analog  to  digital  conversion）クロック405の信号を提供するために使用されてもよい。
【００３３】
図５は、図１〜４の実施例に示すようなチューナ120の効率的な実現のための方法の実施例を記載したフローチャートである。チューナ120は、共通のソースから複数の整流周波数を送出するように構成される。要素510において、チャネル要求が提供される。要素520において、第１の変換段250からの第１の整流周波数及び第２の変換段260からの第２の整流周波数は、チャネル要求に少なくとも部分的に基づいて判定される。他の実施例では、第１の整流周波数、第２の整流周波数、第１の変換段250の倍数及び第２の変換段260の倍数は、第１のミキサ215と第２のミキサ225との間の信号周波数及びIF出力240に更に依存してもよい。
【００３４】
要素530において、同調可能な範囲が未知である場合、共通のソース（局部発振器245等）の同調可能な範囲が判定される。要素540において、第１の変換比は、第１の変換段250の第１のプレスケール範囲と、局部発振器245又は共通のソースの同調可能な範囲とに少なくとも部分的に基づいて判定される。要素550において、共通のソースの周波数出力は、第１の整流周波数と第１の変換比とに基づいて判定される。次に要素560において、共通のソースの出力周波数と第２の整流周波数とに基づいて第２の変換段260の第２の変換比が判定される。更なる実施例では、第１の変換段250及び／又は第２の変換段260は、同相及び直交成分ありで又はなしで変換されてもよい。
【００３５】
図６は、図１〜４の実施例に示すようなチューナ120の効率的な実現のための代替実施例を記載したフローチャートである。チューナ120は、共通のソースから複数の整流周波数を送出するように構成される。要素610において、チャネル要求に基づいて複数の整流周波が判定される。要素620において、複数の整流周波数に少なくとも部分的に基づいて周波数が生成される。周波数は、整流周波数のそれぞれの調波周波数（調和周波数）（harmonic  frequency）、又は整流周波数のそれぞれの整数倍若しくは比である。要素630において、第１のプレスケール比及び第２のプレスケール比が判定される。要素640において、第１のプレスケール比での調波周波数信号（調和周波数信号）は、入力RF周波数信号と結合され、同相（I）信号及び直交（Q）信号を形成する。要素650において、I信号及びQ信号がフィルタリングされ、要素660において、第２のプレスケール比での調波周波数信号がI信号及びQ信号と結合され、中間周波数信号を形成する。
【００３６】
ここでは、命令、関数、手順、データ構造、アプリケーションプログラム、構成設定等のようなデータを参照して、実施例を説明することがある。この開示の目的で、“プログラム”という用語は、アプリケーション、ドライバ、プロセス、ルーチン、メソッド、モジュール及びサブプログラムを含み、広範囲のソフトウェアコンポーネント及び構造をカバーする。“プログラム”という用語は、完全なコンパイル単位（すなわち、独立してコンパイル可能な一式の命令）、コンパイル単位の集合、又はコンパイル単位の一部を示すために使用され得る。従って、“プログラム”という用語は、電子システム100により実行されたときに、共通のソースから複数の整流周波数を提供する命令のいずれかの集合を示すために使用されてもよい。電子システム100のプログラムは、ソフトウェア環境のコンポーネントであると考えられてもよい。
【００３７】
ここで説明した動作は、一般的に、必要に応じて電子システム100のコントローラ225でのコード命令として具現された適切なファームウェア又はソフトウェアの実行を介して容易になってもよい。従って、本発明の実施例は、或る形式の処理コアで実行される一式の命令又は機械可読媒体上又は内に実現される一式の命令を含んでもよい。機械可読媒体は、機械（例えば、コンピュータ）により読み取り可能な形式で情報を格納又は送信する如何なる機構をも含む。例えば、機械可読媒体は、読み取り専用メモリ（ROM）、ランダムアクセスメモリ（RAM）、磁気ディスク記憶媒体、光記憶媒体、フラッシュメモリデバイス等のような製造物を含んでもよい。更に、機械可読媒体は、電気、光、音響又は他の形式の伝搬信号（例えば、搬送波、赤外線信号、デジタル信号等）のような伝搬信号を含んでもよい。
【００３８】
本発明の特定の特徴についてここで例示及び説明したが、多くの変更、置換、変形及び均等物が当業者に思い浮かぶ。従って、特許請求の範囲は、本発明の真の範囲内にある全てのこのような変更及び変形をカバーすることを意図する。
【図１】
2012531100.tif 000003
【図２】
2012531100.tif 000004
【図３】
2012531100.tif 000005
【図４】
2012531100.tif 000006
【図５】
2012531100.tif 000007
【図６】
2012531100.tif 000008
【国際調査報告】
2012531100.tif 000009
2012531100.tif 000010